(57)【要約】【課題】  簡単な構成でオプションデバイスを取り付け可能な情報処理装置を提供する。【解決手段】  ディスプレイを有するディスプレイユニットにＵＳＢカメラといったオプションデバイスを取り付けるために要するＵＳＢコネクタを、ディスプレイユニットに内蔵されるディスプレイを制御するコントローラが実装され基板上に実装する。【選択図】  図３
2009015361.tif 000002
【特許請求の範囲】
【請求項１】
バスと接続されるオプションデバイスを取り付け可能なディスプレイユニットと、このディスプレイユニットが取り付けられる本体とを具備する電子機器において、
前記本体は、
前記バスにおける通信を制御するバスコントローラを具備し、
前記ディスプレイユニットは、
ディスプレイと、
前記ディスプレイを制御するコントローラが実装された基板と、
前記オプションデバイスおよび前記バスコントローラに接続され、前記基板上に実装される接続部と、
を具備することを特徴とする電子機器。
【請求項２】
前記ディスプレイユニットは、前記基板上に実装され前記接続部と接続される第１のハーネス接続部をさらに具備し、
前記本体は、前記バスコントローラに接続される第２のハーネス接続部をさらに具備することを特徴とする請求項１記載の電子機器。
【請求項３】
前記本体および前記ディスプレイユニットを接続するヒンジと、
前記第１のハーネス接続部と前記第２のハーネス接続部とを接続し、前記ヒンジを介して配設されるバスハーネスと、
をさらに具備することを特徴とする請求項２記載の電子機器。
【請求項４】
前記バスハーネスは、前記本体から前記ディスプレイユニットに亘って設けられるディスプレイハーネスと一体形成されるバスハーネスであることを特徴とする請求項３記載の電子機器。
【請求項５】
前記オプションデバイスおよび前記バスコントローラに接続され、前記基板上に実装される複数の接続部をさらに具備することを特徴とする請求項１記載の電子機器。
【発明の詳細な説明】
【技術分野】
【０００１】
本発明は、カメラユニットや指紋認証ユニットといったオプションデバイスを搭載可能な電子機器に関する。
【背景技術】
【０００２】
近年、ディスプレイユニット部分にＣＣＤカメラユニット、無線ＬＡＮユニット、指紋認証ユニット等が取り付けられたノートブックタイプのコンピュータの開発が進められている。例えば、特許文献１には、表示装置の上部に無線ＬＡＮアダプタを含むオプションユニットが着脱可能なコンピュータについて開示されている（特許文献１参照。）。
【特許文献１】特開２００１−５１７４９号公報（第４〜５頁、第１１図、第１２図）
【発明の開示】
【発明が解決しようとする課題】
【０００３】
特許文献１には、オプションユニットを接続する導電部を有する固定板をＬＣＤ上部に設ける内容が開示されている。
【０００４】
しかしながら、特許文献１の構成の場合、従来のディスプレイユニットの構成に加えて、オプションユニットを取り付けるために導電部を有する固定板をディスプレイユニットに実装しなければならず、部品実装点数が固定板分増加する。
【０００５】
そこで、本発明は、簡単な構成でオプションデバイスを取り付け可能な情報処理装置を提供することを目的とする。
【課題を解決するための手段】
【０００６】
上記目的を達成するために、請求項１に関わる電子機器は、バスと接続されるオプションデバイスを取り付け可能なディスプレイユニットと、このディスプレイユニットが取り付けられる本体とを具備する電子機器において、前記本体は、前記バスにおける通信を制御するバスコントローラを具備し、前記ディスプレイユニットは、ディスプレイと、前記ディスプレイを制御するコントローラが実装された基板と、前記オプションデバイスおよび前記バスコントローラに接続され、前記基板上に実装される接続部とを具備することを特徴とする。
【発明の効果】
【０００７】
本発明によれば、簡単な構成でオプションデバイスを取り付け可能な情報処理装置を提供することが可能となる。
【発明を実施するための最良の形態】
【０００８】
図１はノートブック型パーソナルコンピュータ（以下、コンピュータと称す。）１のディスプレイユニット３を本体２に対して開いた状態の一例を示す図である。
【０００９】
コンピュータ１は本体２とディスプレイユニット３とから構成される。本体２およびディスプレイユニット３は電子部品を内蔵する筐体である。
【００１０】
ディスプレイユニット３は、本体２と第１のヒンジ２ａおよび第２のヒンジ２ｂを介して接続される。ディスプレイユニット３は、本体２に対して開放位置と閉塞位置との間を回動自在に取り付けられる。
【００１１】
ディスプレイユニット３には、ＬＣＤセル４ａ（Liquid Crystal Display）を有するＬＣＤユニット４が組み込まれており、ＬＣＤユニット４はディスプレイユニット３のほぼ中央に位置される。
【００１２】
また、ディスプレイユニット３にはオプションユニットとして取り扱われるデバイスのカメラ８が組み込まれる。カメラ８の使用方法の一例として、ネットワークを介して通信相手にリアルタイムな画像を送付したい場合にカメラ８を用いてリアルタイムな画像を撮像する、といった使用方法がある。このカメラ８は、ユーザがコンピュータ１に取り付けたいという希望がある場合に取り付けることが可能なオプションデバイスである。
【００１３】
本体２は略箱形の形状を有しており、本体２の上面にはキーボード５、コンピュータ１の電源オン／オフするためのパワーボタン６が設けられる。パワーボタン６はコンピュータ１を使用開始する際、押し下げ操作される。次に、コンピュータ１の構成について説明する。
【００１４】
図２は、コンピュータ１の構成の一例を説明するブロック図である。
【００１５】
まず、本体２の構成について説明する。
【００１６】
ホストハブ（第１のブリッジ回路）１１には、ＣＰＵ１０、メインメモリ１３、グラフィックスコントローラ１５およびＩ／Ｏ（Input/Output）ハブ２０が接続されている。
【００１７】
ホストハブ１１はＦＳＢ（Ｆｒｏｎｔ  Ｓｉｄｅ  Ｂｕｓ）１２を介してＣＰＵ１０と接続される。ホストハブ１１にはメインメモリ１３へのアクセスを制御するメモリコントローラが内蔵される。
【００１８】
ＣＰＵ１０はコンピュータ１の動作を制御するメインプロセッサである。ＣＰＵ１０は外部記憶装置であるＨＤＤ２１からメモリバス１４を介してメインメモリ１３にロードされる、オペレーティングシステム（ＯＳ）、アプリケーションプログラム等を実行する。
【００１９】
ホストハブ１１にＡＧＰ（Accelerated Graphics Port）バス１６を介して接続されるグラフィクスコントローラ１５はドライバＩＣ１８ｅにデジタル表示信号を出力する。グラフィクスコントローラ１５にはビデオメモリ（ＶＲＡＭ）１７が接続されており、グラフィックスコントローラ１５はＯＳ／アプリケーションプログラムによってビデオメモリ１７に描画されたデータをＬＣＤセル４ａに表示する。
【００２０】
ホストハブ１１と例えばハブインターフェイスといった専用バスで接続されるＩ／Ｏハブ（第二のブリッジ回路）２０は、ＬＰＣ（low pin count）バス２６上の各デバイスを制御する。
【００２１】
Ｉ／Ｏハブ２０は外部記憶装置であり例えばシリアルＡＴＡ規格をサポートするＨＤＤ２１とシリアルＡＴＡ規格をサポートするシリアルＡＴＡバスを介して接続される。
【００２２】
ＨＤＤ２１にはオペレーティングシステム（ＯＳ）、アプリケーションプログラムおよびアプリケーションプログラムを使用することで生成されたデータ等が記憶される。
【００２３】
Ｉ／Ｏハブ２０にはＵＳＢコントローラ２０ａが内蔵されており、このＵＳＢコントローラ２０ａにＵＳＢ（Universal Serial Bus）が接続される。このＵＳＢについては後述にて詳細に説明する。
【００２４】
ＬＰＣバス２２上にはエンベデッドコントローラ／キーボードコントローラＩＣ（ＥＣ／ＫＢＣ）２３が接続される。
【００２５】
エンベデッドコントローラ／キーボードコントローラＩＣ（ＥＣ／ＫＢＣ）２３は、電力管理等を行うためのエンベデッドコントローラと、キーボード（ＫＢ）５を制御するためのキーボードコントローラとが集積された１チップマイクロコンピュータである。
【００２６】
ＥＣ／ＫＢＣ２３にはキーボード５、パワーボタン６およびＰＳＣ（Power Supply Controller）２５が接続される。
【００２７】
ユーザがパワーボタン６を操作すると、ＥＣ／ＫＢＣ２３はパワーボタン６が操作されたことを検出する。ＥＣ／ＫＢＣ２３は、パワーボタン６が操作されたことを検出すると、例えば本コンピュータ１のシステムに対して電源供給を開始するようにＰＳＣ２５に通知する。ＰＳＣ２５の制御によって、ＡＣアダプタまたは二次電池から供給される電力をコンピュータ１内の各モジュールに供給する。
【００２８】
次に、ディスプレイユニット３の構成について説明する。
【００２９】
ディスプレイユニット３には、図１を用いて説明したとおり、ＬＣＤユニット４が設けられる。
【００３０】
ＬＣＤ基板１８にはＬＣＤセル４ａを駆動するといった制御を行うためのドライバＩＣ１８ｅ等が実装される。ドライバＩＣ１８ｅはグラフィックコントローラ１５にて処理された信号を受信し、ＬＣＤセル４ａを駆動することでＬＣＤセル４ａに映像を表示させる。
【００３１】
ＬＣＤ基板１８上に、ＵＳＢが接続されるＵＳＢコネクタ１８ｃが設けられる。ＵＳＢコネクタ１８ｃは、ディスプレイユニット３に取り付けられるカメラ８とＵＳＢコントローラ２０ａとをＵＳＢで接続するために設けられるコネクタである。
【００３２】
図３は、カメラ８とＵＳＢコントローラ２０ａとの接続形態の一例について説明した図である。
【００３３】
図２を用いて説明した、ＵＳＢコネクタ１８ｃが実装されているＬＣＤ基板１８には、ＬＣＤハーネスが接続されるコネクタ１８ａ、ＵＳＢハーネスが接続されるコネクタ１８ｂが実装される。
【００３４】
カメラ８とＵＳＢコネクタ１８ｃとは、ＵＳＢハーネス２４ｃで接続される。また、ＵＳＢコネクタ１８ｃとコネクタ１８ａとはＵＳＢ２４ｄで接続される。
【００３５】
図２を用いて説明したＵＳＢコントローラ２０ａを内蔵するＩ／Ｏハブ２０は、本体２に内蔵される基板３０上に実装される。この基板３０には、ＬＣＤハーネスが接続されるコネクタ１９ａ、ＵＳＢハーネスが接続されるコネクタ１９ｂが実装される。ＵＳＢコントローラ２０ａとコネクタ１９ｂとはＵＳＢ２４ａで接続される。
【００３６】
コネクタ１９ｂおよびコネクタ１８ｂに第１のヒンジ２ａを介してＵＳＢハーネス２４ｂが接続される。さらに、コネクタ１９ａおよびコネクタ１８ａに第１のヒンジ２ａを介してＬＣＤハーネス２６が接続される。
【００３７】
このように、ディスプレイユニット３に必ず実装されるＬＣＤ基板１８上に、ＵＳＢインタフェースを有するカメラといったオプションデバイスを接続するために設けられ、且つ、ＵＳＢコントローラ２０ａと接続されるＵＳＢコネクタ１８ｃを予め実装しておくという構成で、オプションデバイスをディスプレイユニットに取り付けるための基板を別途実装するといった基板の部品点数を増やす必要が無くなる
【００３８】
図４は、ＬＣＤ基板１８上に実装されるＵＳＢコネクタとＵＳＢコントローラ２０ａとの接続形態の変形例について説明した図である。
【００３９】
図３を用いて説明した内容と異なる点は、（１）第１のヒンジ２ａを介して基板３０からＬＣＤ基板１８に亘って設けられるＵＳＢハーネス２４ｂおよびＬＣＤハーネス２６を一体形成した点、および（２）ＵＳＢハーネス２４ｂおよびＬＣＤハーネス２６を一体形成することに伴い、ＬＣＤハーネスが接続されるコネクタ１８ａおよびＵＳＢハーネスが接続されるコネクタ１８ｂを一体形成したコネクタをＬＣＤ基板１８に設け、ＬＣＤハーネスが接続されるコネクタ１９ａおよびＵＳＢハーネスが接続されるコネクタ１９ｂを一体形成したコネクタを基板３０に設ける点である。
【００４０】
図２にて説明したＵＳＢハーネス２４ｂとＬＣＤハーネス２６を一体形成したものがハーネス２７である。このハーネス２７は、基板３０に実装されるコネクタ１９ｃおよびＬＣＤ基板１８に実装されるコネクタ１８ｄに接続される。
【００４１】
ＵＳＢハーネス２４ｃが接続されるＵＳＢコネクタ１８ｃは、コネクタ１８ｄとＵＳＢ２４ｄで接続される。
【００４２】
また、基板３０上に実装されるＩ／Ｏハブ２０に内蔵されるＵＳＢコントローラ２０ａは、コネクタ１９ｃとＵＳＢ２４ａで接続される。
【００４３】
このように、ＬＣＤ基板１８に設けられるＵＳＢコネクタ１８ｃと基板３０に実装されるＩ／Ｏハブ２０に内蔵されるＵＳＢコントローラ２０ａとを接続するために、基板３０からＬＣＤ基板１８に亘ってＬＣＤハーネスとＵＳＢハーネスとを一体形成したハーネス２７を用いることで、図２を用いて説明したＵＳＢハーネス２４ｂおよびＬＣＤハーネス２６の夫々準備することなく、一つのハーネスを用いて対応することが可能となる。
【００４４】
図５は、ＬＣＤ基板１８上に実装されるＵＳＢコネクタの実装形態の変形例について説明した図である。
【００４５】
図３を用いて説明した内容と異なる点は、ＬＣＤ基板１８上に、ＵＳＢが接続されるＵＳＢコネクタ１８ｃとは別にＵＳＢコネクタ１８ｄを設ける点である。ＵＳＢコネクタ１８ｄは、ディスプレイユニット３に取り付けられる指紋認証ユニット９とＵＳＢコントローラ２０ａとをＵＳＢで接続するために設けられるコネクタである。
【００４６】
指紋認証ユニット９とＵＳＢコネクタ１８ｄとは、ＵＳＢハーネス２４ｅで接続される。また、ＵＳＢコネクタ１８ｄとコネクタ１８ｂとはＵＳＢ２４ｆで接続される。
【００４７】
このように、ＬＣＤ基板１８上にオプションデバイスを接続するためのＵＳＢコネクタを複数設けておくことで、複数のオプションデバイスをディスプレイユニットに取り付けるための基板を別途実装する必要が無くなる。
【００４８】
上の実施例の説明ではＵＳＢを用いて説明したが、ＵＳＢに限定する必要は無く、ＵＳＢ以外のバス規格であるならば、ＬＣＤ基板に設けられるコネクタもＵＳＢ以外のバス規格に対応するコネクタとなる。
【００４９】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００５０】
【図１】本発明に係る電子機器の斜視図。
【図２】コンピュータ１の構成の一例を説明するブロック図。
【図３】カメラ８とＵＳＢコントローラ２０ａとの接続形態の一例について説明した図。
【図４】ＬＣＤ基板１８上に実装されるＵＳＢコネクタとＵＳＢコントローラ２０ａとの接続形態の変形例について説明した図。
【図５】ＬＣＤ基板１８上に実装されるＵＳＢコネクタの実装形態の変形例について説明した図。
【符号の説明】
【００５１】
１…コンピュータ、２…本体、３…ディスプレイユニット、
４…ＬＣＤユニット、５…キーボード、６…パワーボタン、８…カメラ、
【図１】
2009015361.tif 000003
【図２】
2009015361.tif 000004
【図３】
2009015361.tif 000005
【図４】
2009015361.tif 000006
【図５】
2009015361.tif 000007